(57)【特許請求の範囲】
【請求項１】
フレームとターンテーブルが回転自在に設けられたベースとの間に結合されて前記ターンテーブルに伝えられる振動を吸収する光ディスクドライブ用のダンパにおいて、
前記ダンパには垂直方向の振動を吸収する垂直振動吸収空間と、水平方向の振動を吸収する水平振動吸収空間とが形成され、
かつ、前記フレームには垂直方向に延出すると共に前記ダンパの一側壁と接する側壁が設けられていることを特徴とする光ディスクドライブ用のダンパ。
【請求項２】
前記ダンパには前記フレ−ムとベースとの結合のための複数の突起が形成されており、前記フレ−ム及びベースには前記突起に対応する複数の結合孔が形成されており、前記突起は前記結合孔に弾性的に挿入されることを特徴とする請求項１に記載の光ディスクドライブ用のダンパ。
【請求項３】
前記突起には段差部が形成されており、前記段差部が前記結合孔に挿入されることにより前記ダンパは前記フレ−ム及びベースに固定されることを特徴とする請求項２に記載の光ディスクドライブ用のダンパ。
【請求項４】
前記ダンパの材質はゴムまたはポリウレタンであることを特徴とする請求項２に記載の光ディスクドライブ用のダンパ。
【請求項５】
前記ダンパの材質はゴムまたはポリウレタンであることを特徴とする請求項３に記載の光ディスクドライブ用のダンパ。
【発明の詳細な説明】
【０００１】
【発明の属する技術分野】
本発明は光ディスクドライブ用のダンパに係り、特に光ピックアップユニットに伝えられる振動を効率よく吸収する光ディスクドライブ用のダンパに関する。
【０００２】
【従来の技術】
一般にＬＤＰ及びＣＤＰなどのような光ディスクドライブは、光ディスクにビ−ムを走査して反射光をピックアップする光学系と、前記光ディスクを回転させ前記光学系を移動させる駆動系及び前記ピックアップされた信号を処理する信号処理系を含む。
【０００３】
光ディスクの回転速度（２００〜５００  ＲＰＭ）はＬＰ板の回転速度（３３１／３  ＲＰＭ）よりごく速いため、光ディスクではスピンドルモ−タの軸に直接連結する小型のタ−ンテ−ブルの上で情報の書き込まれないディスクの中心ホ−ルの縁部のみがクランピングされる。したがって、光ディスクの回転は外部から伝えられる振動及び衝撃に敏感である。
【０００４】
かつ、光ディスクの中心ホ−ルの加工誤差及びスピンドルモ−タの軸に結合されたタ−ンテ−ブルの上に光ディスクを装着するときの誤差によりスピンドルモ−タの軸と光ディスクの回転中心がずれることがある。さらに、光ディスクそれれ自体も真円でないので、この回転中心のずれはさらに深刻になる。かかる回転中心のずれは、光ディスクドライブの内部または外部から伝えられる振動と共に光ピックアップユニットのデ−タ読出しエラ−、スキッピング及びデ−タインスト−ルエラ−などの問題を発生させる。
【０００５】
したがって、光ディスクドライブにおいて、フレ−ムとタ−ンテ−ブルの設けられるベ−スとの間にダンパが設けられて外部の振動を吸収する。
図１及び図２は従来のダンパを備える光ディスクドライブを概略的に示す。図を参照するに、ドライブのフレ−ム１３と、タ−ンテ−ブル１６の設けられるフレ−ム１３の上面のベ−ス１４との間に複数のダンパ１１がスクリュ−１２により締結される。図３を参照するに、前記ダンパ１１の内部には振動を吸収するスペ−サ１１ａが形成されている。
【０００６】
前記のような構造のダンパ１１は、外部から衝撃または振動が伝えられるとき、前記ダンパ１１の内部に形成されたスペ−サ１１ａの弾性変形可能な範囲内で垂直方向に変形される。したがって、外部から伝えられた振動は、ダンパ１１の前記スペ−サ１１ａに吸収されて光ディスク（図示せず）の安着する前記タ−ンテ−ブル１６には殆ど伝えられないため、光ピックアップユニット１７（図１参照）の前記エラ−を防止する。
【０００７】
しかしながら、上述した従来のダンパ１１はスクリュ−１２により締結されるので、組立ての精度を保つのは容易でない。即ち、前記スクリュ−１２が正確に垂直に締結しないか、締結しすぎると、前記ダンパ１１のスペ−サ１１ａが弾性的に充分に変形できず、防振の効果が減る。
一方、前記スクリュ−１２が緩むと、前記ベ−ス１４は正確に水平状態を保つことができないため、光ディスクドライブの性能が劣化する。
【０００８】
かつ、前記ダンパ１１は垂直方向の振動は充分に吸収するが、水平方向の振動は充分に吸収できない構造を有するので、光ディスクドライブを常時水平方向のみに設けなければならない短所がある。
【０００９】
【発明が解決しようとする課題】
本発明は前記問題点を解消するために案出されたものであり、垂直及び水平方向の振動を吸収することができ、簡単に組み立てられる光ディスクドライブ用のダンパを提供することにその目的がある。
【００１０】
【課題を解決するための手段】
前記目的を達成するための本発明は、フレームとターンテーブルが回転自在に設けられたベースとの間に結合されて前記ターンテーブルに伝えられる振動を吸収する光ディスクドライブ用のダンパにおいて、前記ダンパには垂直方向の振動を吸収する垂直振動吸収空間と、水平方向の振動を吸収する水平振動吸収空間とが形成され、かつ、前記フレームには垂直方向に延出すると共に前記ダンパの一側壁と接する側壁が設けられていることを特徴とする。
【００１１】
前記ダンパには前記フレ−ムとベ−スとの結合のための複数の突起が形成されており、前記フレ−ム及びベ−スには前記突起に対応する複数の結合孔が形成されており、前記突起は前記結合孔に弾性的に挿入される。
かつ、前記突起には段差部が形成されており、前記段差部が前記結合孔に挿入されることにより前記ダンパは前記フレ−ム及びベ−スに固定される。
【００１２】
【発明の実施の形態】
以下、添付した図に基づき本発明の実施の形態をさらに詳細に説明する。
図４及び図５には本発明によるダンパを備える光ディスクドライブを示す。同図を参照するに、ドライブ４０のフレ−ム４３と、タ−ンテ−ブル４６が回転自在に設けられる前記フレ−ム４３の上部のベ−ス４４との間に前記タ−ンテ−ブル４６に伝えられる振動を吸収する複数のダンパ４１が設けられる。
【００１３】
図６を参照するに、本発明による前記ダンパ４１の内部には、垂直方向の振動を吸収する垂直振動吸収空間６１ａ，６１ｂと水平方向の振動を吸収する水平振動吸収空間６２とが備えられる。ダンパ４１の上部及び下部には前記フレ−ム４３及びベ−ス４４とそれぞれ結合する突起６３，６４が形成される。前記突起６３，６４はフレ−ム４３とベ−ス４４にそれぞれ形成された結合孔４３ａ，４４ａに弾性的に挿入される。
【００１４】
前記ダンパ４１はゴムまたはポリウレタンを含む多様な弾性材で構成されるので、突起６３，６４の段差部６３ａ，６４ａが収縮する状態に結合孔４３ａ，４４ａを貫通したのち、再び膨らむことにより、ダンパ４１はフレ−ム４３及びベ−ス４４に固定される。ダンパ４１の一側面はフレ−ム４３の側壁４３ｂと接する。
【００１５】
前記のような構造のダンパ４１を備える光ディスクドライブにおいて、外部からの衝撃または振動が垂直方向に光ディスクドライブに伝えられると、前記ダンパ４１は、ダンパ４１の内部の垂直振動吸収空間６１ａ，６１ｂの弾性変形可能な範囲内で垂直方向に弾性変位する。これにより、垂直方向の振動は吸収される。
【００１６】
かつ、外部の衝撃または振動が前記フレ−ム４３の側面を通じて水平方向に伝えられると、前記ダンパ４１は、ダンパ４１の内部の水平振動吸収空間６２の弾性変形可能な範囲内で水平方向に弾性変位する。したがって、水平方向の振動も吸収される。
結果的に、光ディスク５０が安着される前記タ−ンテ−ブル４６への水平及び垂直方向の外部振動の伝達は最小とされて光ピックアップユニット４７のデ−タ読出しエラ−は防止される。
【００１７】
【発明の効果】
上述したように本発明によるダンパは水平及び垂直方向の振動を効率よく吸収することができるので、光ディスクドライブを水平または垂直方向に自由に配置できる。かつ、本発明のダンパはスクリュ−を用いることなくダンパの突起をフレ−ム及びベ−スの結合孔に簡単に嵌合することにより結合されるので、組立てが容易であり、生産性も向上される。
【００１８】
本発明を図面に示した実施例に基づいて説明したが、例示的なものに過ぎず、本発明の技術分野において通常の知識を持つ者ならば、多様な変形及び均等な他の実施例が可能である。
【図面の簡単な説明】
【図１】従来の光ディスクドライブ用のダンパを備える光ディスクドライブの概略平面図である。
【図２】図１の側断面図である。
【図３】図２に示した従来の光ディスクドライブ用のダンパの拡大断面図である。
【図４】本発明による光ディスクドライブ用のダンパを備える光ディスクドライブの概略平面図である。
【図５】図４の側断面図である。
【図６】図４に示した本発明によるダンパの拡大断面図である。
【符号の説明】
４０  ドライブ
４１  ダンパ
４３  フレーム
４３ａ  結合孔
４３ｂ  側壁
４４  ベース
４４ａ  結合孔
４６  ターンテーブル
４７  光ピックアップユニット
５０  フレーム
６１ａ，６１ｂ  垂直振動吸収空間
６２  水平振動吸収空間
６３  突起
６３ａ  段差部
６４  突起
６４ａ  段差部
【図１】
0003731953.tif 000002
【図２】
0003731953.tif 000003
【図３】
0003731953.tif 000004
【図４】
0003731953.tif 000005
【図５】
0003731953.tif 000006
【図６】
0003731953.tif 000007